(57)【要約】【課題】シート搬送中にループを形成させるシート搬送装置において、シート搬送中に発生する衝撃音を低減させることが可能なシート搬送装置を提供する。【解決手段】第１の搬送手段によってシートを搬送し、前記シートの先端部を第２の搬送手段に突き当てて前記シートにループを形成させた後、第２の搬送手段によるシートの搬送を行うシート搬送装置において、前記第１の搬送手段を通過したシートの搬送を補助する突出部を有する第１ガイド部材と、第２ガイド部材とを有し、前記第１ガイド部材の突出部と第２ガイド部材により、前記シートに予備ループを形成した後、前記シート先端部を第２の搬送手段に突き当てて、前記シートにループを形成させることにより、該シートの曲がりと先端位置の補正を行って搬送をうことを特徴とするシート搬送装置。【選択図】        図２
2005035688.tif 000002
【特許請求の範囲】
【請求項１】
第１の搬送手段によってシートを搬送し、前記シートの先端部を第２の搬送手段に突き当てて前記シートにループを形成させた後、第２の搬送手段によるシートの搬送を行うシート搬送装置において、
前記第１の搬送手段を通過したシートの搬送を補助する突出部を有する第１ガイド部材と、第２ガイド部材とを有し、
前記第１ガイド部材の突出部と第２ガイド部材により、前記シートに予備ループを形成した後、前記シート先端部を第２の搬送手段に突き当てて、前記シートにループを形成させることにより、該シートの曲がりと先端位置の補正を行って搬送をうことを特徴とするシート搬送装置。
【請求項２】
第１の搬送手段によってシートを搬送し、前記シートの先端部を第２の搬送手段に突き当てて前記シートにループを形成させた後、第２の搬送手段によるシートの搬送を行うシート搬送装置において、
前記第１の搬送手段を通過したシートの搬送を補助する移動可能な突出部を有する第１ガイド部材と、第２ガイド部材と、前記第１ガイド部材の前記突出部を搬送方向線に対し前記第２ガイド部材と反対側に退避させる突出部退避手段とを有し、
前記突出部を前記突出部退避手段に退避させていないときは、前記第１ガイド部材の突出部と第２ガイド部材により、前記シートに予備ループを形成した後、前記シート先端部を第２の搬送手段に突き当てて、前記シートにループを形成させて、該シートの曲がりと先端位置の補正を行ってシートの搬送を行い、
前記突出部を前記突出部退避手段に退避させているときは、前記シートに予備ループを形成させないでシートの搬送を行うことを特徴とするシート搬送装置。
【請求項３】
前記シートを搬送する第１搬送路と第２搬送路とを形成し、前記第１搬送路を使用する場合には前記突出部を退避させないで使用し、前記第２搬送路を使用する場合には前記突出部を退避させて使用することを特徴とする請求項２に記載のシート搬送装置。
【請求項４】
前記第１搬送路は少なくともシートを通常に給紙する少なくとも１つの給紙段のための搬送路であり、前記第２搬送路はシートの手差しのための搬送路であることを特徴とする請求項３に記載のシート搬送装置。
【請求項５】
搬送方向線に対して突出した前記突出部は、シート搬送方向と直交する方向より見て凸形状部を有することを特徴とする請求項１から４のいずれか１項に記載のシート搬送装置。
【請求項６】
前記第１ガイド部材にシート搬送方向と直交する方向に隣接して複数の前記突出部を設けることを特徴とする請求項１から５のいずれか１項に記載のシート搬送装置。
【請求項７】
請求項１から６のいずれか１項に記載のシート搬送装置を、画像形成装置における画像形成部に送り込むシートの搬送路に形成したことを特徴とする画像形成装置。
【発明の詳細な説明】
【０００１】
【発明の属する技術分野】
本発明はシート搬送装置および該シート搬送装置を有する画像形成装置に関し、さらに詳しくは、シートを第２の搬送手段（レジストローラ）に突き当て、ループを形成することによってシートの曲がりや先端位置の補正を行って搬送するシート搬送装置、およびこれを用いた画像形成装置に関する。
【０００２】
【従来の技術】
従来から、画像形成装置等で用いられるシート搬送手段には、搬送中のシートにループを形成する操作を行って、シートの曲がりや先端位置を補正するものがあった。（例えば特許文献１、および特許文献２参照）。
【０００３】
ここで、従来のシート搬送装置の一例を図７を用いて説明する。図７は従来の一例のシート搬送装置の構成を示す断面図である。先ず、シートＰはローラ９１（第１の搬送手段）により把持搬送されて、ガイド部材９２とガイド部材９３の間を通過する。そして、シートＰの先端部Ｐａがレジストローラ９４（第２の搬送手段）に当たると、シートＰは図中の点線に示すように大きく湾曲してループを形成する。その後、ローラ９１の搬送を一時停止して、大きなループを形成することによりシートの曲がりやシートの先端位置を補正する。そして、これらの補正を行ったシートＰは画像形成部にタイミングをとって搬送される構造を有している。
【０００４】
【特許文献１】
特開平６−２４５８８号公報
【０００５】
【特許文献２】
特開平８−２１７２９１号公報
【０００６】
【発明が解決しようとする課題】
しかしながら、従来のシート搬送装置では、シートＰをレジストローラ９４に搬送して、シートがほぼ平面状態でシートの先端がレジストローラに衝突すると、シートは弾性変形し難い平面形状の平行方向から大きな力を受けて急激にループを形成して運動エネルギを吸収しようとするので、シートの先端はレジストローラに強く衝突し、シートの先端部がレジストローラに当たると大きな衝撃音が発生させるという問題を有していた。
【０００７】
本発明は上記の課題に鑑みなされたものである。即ち、本発明の目的は、シート搬送中にループを形成させるシート搬送装置において、シート搬送中に発生する衝撃音を低減させることが可能なシート搬送装置を提供することである。
【０００８】
また、本発明の他の目的は、前述のシート搬送中に発生する衝撃音を低減できるとともに、必要あれば衝撃音の低減機構を一時的に解除できる、例えば、カセットでの給紙されたシートと手差しで給紙されたシートが円滑に搬送させることが可能なシート搬送装置を提供することにある。また、本発明の他の目的は、本発明のシート搬送装置を画像形成部に送り込むシートの搬送路に用いた画像形成装置を提供することにある。
【０００９】
【課題を解決するための手段】
本発明者は、シート搬送装置内でシート先端部が、レジストローラに当接した時に大きな衝撃音が発生する原因を解析した。その結果、シートがまっすぐな状態で搬送されて、レジストローラに当たると、大きな衝撃音が発生することが判明した。これは、シートがまっすぐな状態で搬送されてレジストローラに衝突するため、弾性変形して行く状態で、無理に運動エネルギーを吸収して急激にループを形成しようとする結果、ループ形成に作用できなかった運動エネルギーが衝撃音となったものと推測された。
【００１０】
本発明者は、このような知見と推測に基づき、シートが効率よくループ形成を行えるようにすることで、衝撃音の発生をなくすることができるものと予測して試みた結果、本発明を見いだしたものである。即ち上記の課題は下記の構成により達成される。
【００１１】
（１）第１の搬送手段によってシートを搬送し、前記シートの先端部を第２の搬送手段に突き当てて前記シートにループを形成させた後、第２の搬送手段によるシートの搬送を行うシート搬送装置において、前記第１の搬送手段を通過したシートの搬送を補助する突出部を有する第１ガイド部材と、第２ガイド部材とを有し、前記第１ガイド部材の突出部と第２ガイド部材により、前記シートに予備ループを形成した後、前記シート先端部を第２の搬送手段に突き当てて、前記シートにループを形成させることにより、該シートの曲がりと先端位置の補正を行って搬送をうことを特徴とするシート搬送装置。
【００１２】
また、本発明者は、更に、最近の画像形成装置では、給紙カセットから供給されたシートを搬送させた直後に手差しのシート搬送を行うように、短い間にシート搬送方向を頻繁に変化させていることにも着目し、必要であれば、前述の衝撃音を低減させる手段が異なる搬送系の障害にならないように、衝撃音低減手段の作動を一時的に解除することが可能な搬送装置を検討し、その結果、下記の構成を見いだした。即ち、
（２）第１の搬送手段によってシートを搬送し、前記シートの先端部を第２の搬送手段に突き当てて前記シートにループを形成させた後、第２の搬送手段によるシートの搬送を行うシート搬送装置において、前記第１の搬送手段を通過したシートの搬送を補助する移動可能な突出部を有する第１ガイド部材と、第２ガイド部材と、前記第１ガイド部材の前記突出部を搬送方向線に対し前記第２ガイド部材と反対側に退避させる突出部退避手段とを有し、前記突出部を前記突出部退避手段に退避させていないときは、前記第１ガイド部材の突出部と第２ガイド部材により、前記シートに予備ループを形成した後、前記シート先端部を第２の搬送手段に突き当てて、前記シートにループを形成させて、該シートの曲がりと先端位置の補正を行ってシートの搬送を行い、前記突出部を前記突出部退避手段に退避させているときは、前記シートに予備ループを形成させないでシートの搬送を行うことを特徴とするシート搬送装置。
【００１３】
（３）前記（１）、または（２）に記載のシート搬送装置を、画像形成装置における画像形成部に送り込むシートの搬送路に形成したことを特徴とする画像形成装置。
【００１４】
【発明の実施の形態】
（実施の形態１）
実施の形態１に係わるシート搬送装置、および、前記シート搬送装置を適用した画像形成装置について説明する。図１はシート搬送装置を適用した画像形成装置の構成断面図である。図１に示す画像形成装置１は、デジタル方式による画像形成装置であって、画像読取り部Ａ、画像処理部Ｂ、画像形成部ＩＳ、記録材搬送手段としての記録材搬送部Ｄから構成されている。
【００１５】
画像読取り部Ａの上部には原稿を自動搬送する自動原稿送り手段が設けられていて、原稿載置台１１上に載置された原稿は原稿搬送ローラ１２によって１枚宛分離搬送され読み取り位置１３ａにて画像の読み取りが行われる。原稿読み取りが終了した原稿は原稿搬送ローラ１２によって原稿排紙皿１４上に排出される。
【００１６】
一方、プラテンガラス１３上に置かれた場合の原稿の画像は走査光学系を構成する照明ランプ及び第１ミラーから成る第１ミラーユニット１５の速度ｖによる読み取り動作と、Ｖ字状に位置した第２ミラー及び第３ミラーから成る第２ミラーユニット１６の同方向への速度ｖ／２による移動によって読み取られる。
【００１７】
読み取られた画像は、投影レンズ１７を通してラインセンサである撮像素子ＣＣＤの受光面に結像される。撮像素子ＣＣＤ上に結像されたライン状の光学像は順次電気信号（輝度信号）に光電変換された後Ａ／Ｄ変換を行い、画像処理部Ｂにおいて濃度変換、フィルタ処理などの処理が施された後、画像データは一旦メモリに記憶される。
【００１８】
画像形成部ＩＳでは、画像形成ユニットとして、像担持体であるドラム状の感光体２１と、その外周に、該感光体２１を帯電させる帯電手段２２、帯電した感光体の表面電位を検出する電位検出手段２２０、現像手段２３、転写分離手段である転写極２４及び分離極２５、前記感光体２１のクリーニング装置２６及び光除電手段としてのＰＣＬ（プレチャージランプ）２７が各々動作順に配置されている。また、現像手段２３の下流側には感光体２１上に現像されたパッチ像の反射濃度を測定する反射濃度検出手段２２２が設けられている。感光体２１は、光導電性化合物をドラム基体上に塗布形成したもので、例えば有機感光体（ＯＰＣ）が好ましく使用され、図示の時計方向に駆動回転される。
【００１９】
回転する感光体２１へは帯電手段２２による一様帯電がなされた後、像露光手段としての露光光学系３０により画像処理部Ｂのメモリから呼び出された画像信号に基づいた像露光が行われる。書き込み手段である像露光手段としての露光光学系３０は図示しないレーザーダイオードを発光光源とし、回転するポリゴンミラー３１、ｆθレンズ３４、シリンドリカルレンズ３５を経て反射ミラー３２により光路が曲げられ主走査がなされるもので、感光体２１に対してＡｏの位置において像露光が行われ、感光体２１の回転（副走査）によって潜像が形成される。本実施の形態の一例では文字部に対して露光を行い潜像を形成する。
【００２０】
感光体２１上の潜像は現像手段２３によって反転現像が行われ、感光体２１の表面に可視像のトナー像が形成される。記録材搬送部Ｄでは、画像形成ユニットの下方に異なるサイズのシートＰが収納された記録材収納手段としての給紙ユニット４１（Ａ）、４１（Ｂ）、４１（Ｃ）が設けられ、また側方には手差し給紙を行う手差し給紙ユニット４２が設けられていて、それらの何れかから選択されたシートＰは案内ローラ４３によって第１搬送路▲１▼に沿って給紙され、さらに第１の搬送手段７１を通り、第２の搬送手段７６であるレジストローラによってシートＰは一時停止を行う。この間シートＰの曲がり補正、先端位置補正がなされるが詳しくは後述する。シートＰは一時停止を行ったのち再給紙が行われ、第１搬送路▲１▼、転写前ローラ４３ａ、給紙経路４６及び進入ガイド板４７に案内され、感光体２１上のトナー画像が転写位置Ｂｏにおいて転写極２４及び分離極２５によってシートＰ上に転写され、搬送ベルト装置４５の搬送ベルト４５４に載置搬送されながら前記シートＰは感光体２１面より分離し、前記搬送ベルト装置４５により定着手段としての誘導加熱型の定着装置５０に搬送される。
【００２１】
定着装置５０は加熱部材としての加熱ローラ５１と加圧部材としての加圧ローラ５３とを有しており、シートＰを定着ローラ５１と加圧ローラ５３との間を通過させることにより、加熱、加圧によってトナーを定着させる。トナー画像の定着を終えたシートＰは排紙トレイ６４上に排出される。
【００２２】
以上はシートＰの片側への画像形成を行う状態を説明したものであるが、両面複写の場合は排紙切換部材１７０が切り替わり、用紙案内部１７７が開放され、用紙としてのシートＰは破線矢印の方向に搬送される。
【００２３】
更に、搬送機構１７８によりシートＰは下方に搬送され、用紙反転部１７９によりスイッチバックさせられ、用紙としてのシートＰの後端は先端となって両面複写用給紙ユニット１３０内に搬送される。
【００２４】
シートＰは両面複写用給紙ユニット１３０に設けられた搬送ガイド１３１を給紙方向に移動し、給紙ローラ１３２でシートＰを再給紙し、シートＰを第１搬送路▲１▼に案内する。再び、上述したように感光体２１方向にシートＰを搬送し、シートＰの裏面にトナー画像を転写し、定着装置５０で定着した後、排紙トレイ６４上に排紙する。
【００２５】
ここで、シート搬送装置について詳しく説明する。図２は実施の形態１のシート搬送装置の構成を示す断面図、図３は実施の形態１の第１ガイド部材を示す斜視図、さらに図４はシート搬送装置におけるシートの搬送軌跡を示す図である。
【００２６】
図２、３および４に示すように、第１ガイド部材７２は、第１の搬送手段７１を通過したシートの搬送を補助する突出部を有する。詳しくは、第１ガイド部材７２は、シートＰが当接する第１の搬送手段７１であるローラのシート当接部７１ａにおける搬送方向線Ｗに対して、突出した部分である突出部７２ａを有する。突出部７２ａの表面は第１の搬送手段７１により搬送されたシートＰを先端部より曲げる働きをする。また、図３に示すように、第１ガイド部材７２は、表面のガイド部７２ｂに突起し隣接した複数の凸形状部７２１ａを形成している。次に、第１ガイド部材７２と対向して第２ガイド部材７４が設けられ、搬送方向線に対して突出した前記突出部は、シート搬送方向と直交する方向より見て凸形状部を有する。第２ガイド部材７４はガイド部７４ａを有し、前記突出部７２ａの表面でシートＰの先端が曲げられた曲げ方向とは反対の方向にシートを曲げる。
【００２７】
制御手段は、シートＰの先端部Ｐａが停止中の第２の搬送手段７６に突き当る直前までに、第１ガイド部材７２の突出部７２ａと第２ガイド部材７４とにより、予め予備ループＬａを形成させ、停止中の第２の搬送手段７６であるレジストローラに突き当て後に、予備ループＬａ（図４（ｃ）参照）から最終的な大きなループＬｂ（図４（ｄ）参照）を形成させるように制御している。
【００２８】
（動作説明）
ここで、シート搬送装置の動作につて図を参照して説明する。図４はシートの搬送軌跡を示す図である。シートＰは第１の搬送手段７１により搬送され、シートＰの先端部Ｐａが、搬送方向線Ｗ（図２）に対して突出した部分である突出部７２ａに凸形状部７２１ａを有し、シートＰが先端部Ｐａがこの部分に当たると先端部Ｐａより曲がる（図４（ａ））。シートＰがさらに搬送され、次にシートＰの先端部Ｐａが第２ガイド部材７４に当たる（図４（ｂ））。シートＰが今度は逆方向に曲がり予備カールを形成しながら搬送される（図４（ｃ））。シートＰの先端部ｐａがさらに送られ第２の搬送手段７６であるレジストローラに突き当たり停止し、その後、シートＰは大きなループＬｂになってシートＰの曲がり補正、先端位置の補正して、第１の搬送手段７１の搬送が一時停止する。このとき第２の搬送手段７６からシートＰに反発力が作用するが、シートＰはすでに予備カールＬａを形成しているので、シートＰが衝突時にこの予備カール部分で弾性変形し衝撃が吸収され衝撃音が小さくなる（図４（ｄ））。その後、シートＰは、画像形成部にタイミングをとって送り込まれる（図４（ｅ））。
【００２９】
以上のように、シートの先端部がレジストローラに衝突するが、シートはすでに湾曲して予備ループを形成しているので、シートは弱い力で予備ループから最終的なループに弾性変形して運動エネルギを吸収して行くので、シートの先端はレジストローラに軽く衝突して衝撃音が少ない。これに対し、従来のように、シートがほぼ平面状態でシートの先端がレジストローラに衝突すると、シートは弾性変形し難い平面形状の平行方向から大きな力を受けて急激にループを形成して運動エネルギを吸収しようとするので、シートの先端はレジストローラに強く衝突し大きな衝撃音が発生すると推測される。
【００３０】
（実施の形態２）
実施の形態２に係わるシート搬送装置、および、このシート搬送装置を適用した画像形成装置について図面を参照して説明する。なお、実施の形態１と機構的に同じ部分は同一符号を付け、また機構的に同じ部分は一部説明を省略する。
【００３１】
図５は第１搬送路（普通）を使用する場合のシート搬送装置の構成を示す断面図であり、図６は第２搬送路（手差し）を使用する場合のシート搬送装置の構成を示す断面図である。
【００３２】
図５、図６に示すように、シート搬送装置は第１搬送路▲１▼と第２搬送路▲２▼を有し、第１搬送路▲１▼は少なくとも１つの給紙段のための搬送路であり、また、第２搬送路▲２▼は手差し給送のための搬送路である。
【００３３】
第１ガイド部材７３は、第１の搬送手段７１を通過したシートの搬送を補助する突出部を有する。詳しくは、第１ガイド部材７３はシートＰが当接する第１の搬送手段７１であるローラのシート当接部７１ａにおける搬送方向線Ｗに対して、突出した部分である突出部８４ａを有している。突出部８４ａの表面は第１の搬送手段７１により搬送されたシートＰを先端部より曲げる働きをする。なお、この実施の形態２では突出部８４ａには退避可能な凸形状部８４１ａが形成されている。また第１ガイド部材７３の表面はガイド部７３ｂとなっている。
【００３４】
次に、第１ガイド部材７３と対向して第２ガイド部材７５が設けられ、第２ガイド部材７５はガイド部７５ａを有し突出部８４ａの表面でシートＰの先端が曲げられた曲げ方向とは反対の方向にシートＰを曲げる。
【００３５】
制御手段は、シートＰの先端部Ｐａが停止中の第２の搬送手段７６に突き当る直前までに、第１ガイド部材７３の突出部８４ａと第２ガイド部材７５とにより、予め予備ループＬａを形成させ、停止中の第２の搬送手段７６であるレジストローラに突き当て後に、予備ループＬａ（図４（ｃ）参照）から最終的な大きなループＬｂ（図４（ｄ）参照）を形成させるように制御している。
【００３６】
また、突出部退避手段８０は第１ガイド部材７３の突出部８４ａを搬送方向線Ｗに対し第２ガイド部材７５と反対側に退避可能にする手段である。突出部退避動作は、最初にモータ８１が図５において反時計方向に回転すると、モータ軸に固定した第１レバー８２に形成したピン８３が同じ反時計方向に回動する。するとピン８３が第２レバー８４の長溝を押して、第２レバー８４を反時計方向に回動させ、第２レバー８４に形成した突出部８４ａが図５で実線の位置より点線の位置に移動する。なお、突出部の突出動作は、上記の逆工程で行われる。
【００３７】
（動作説明）
第１搬送路▲１▼を使用する場合のシート搬送装置の動作は、最初に突出部８４ａを突出状態にする。この状態で、シートＰは第１の搬送手段７１により搬送され、シートＰの先端部Ｐａが、突出部８４ａに当たるとシートＰが先端部Ｐより曲がり、シートＰはさらに搬送され、次にシートＰの先端部Ｐａが第２ガイド部材７５に当たる。シートＰが予備カールＬａを形成しながら搬送され、シートＰの先端部ｐａが第２の搬送手段７６であるレジストローラに当たり停止する。当たることによりシートＰに反発力が作用するが、すでにシートＰが予備カールＬａを形成しているので、シートＰの変形時にシートＰが弾性変形し衝撃が吸収され衝撃音が小さくなる。その後シートＰは最大のループＬｂになってシートの曲がり先端位置を補正して、第１の搬送手段７１の搬送が一時停止する。その後、シートＰは画像形成部にタイミングをとって送り込まれる。以上のように、シートの第２の搬送手段７６への衝突時の衝撃音を小さくすることができる。
【００３８】
次に、第２搬送路▲２▼を使用する場合のシート搬送装置の動作は、最初に、突出部退避手段８０により突出部８４ａを退避させておく。図示しない手差し給紙部よりシートＰを搬送し、第３の搬送手段７７である搬送ローラにより搬送され、シートＰの先端部Ｐａが、突出部８４ａに当たることなくさらに搬送され、シートＰの先端部ｐａが第２の搬送手段７６であるレジストローラに当たり停止する。その後シートＰはループになってシートの曲がり先端位置補正して、第１の搬送手段７１の搬送が一時停止する。その後、シートＰは画像形成部にタイミングをとって送り込まれる。
【００３９】
なお、特に、シートの搬送性を優先させため、第１搬送路▲１▼のみを使用するが突出部８４ａを退避させておくる場合の動作について説明する。最初に、突出部退避手段８０により突出部８４ａを退避させておく。シートＰを搬送し、第１の搬送手段７１で搬送され、シートＰの先端部Ｐａが、突出部８４ａに当たることなくさらに搬送され、シートＰの先端部ｐａが第２の搬送手段７６であるレジストローラに当たり停止する。その後シートＰはループになってシートの曲がり先端位置補正して、第１の搬送手段７１の搬送が一時停止する。その後、シートＰは画像形成部にタイミングをとって送り込まれる。
【００４０】
なお、この実施の形態では画像形成装置における画像形成部にシート搬送するシート搬送装置について説明したが、画像形成装置における原稿読み取り手段における原稿（シート）を送り込むシート搬送装置についても適用できることはいうまでもない。
【００４１】
【発明の効果】
上記のように構成したので下記のような効果を奏する。
【００４２】
請求項１に記載の発明によれば、第１の搬送手段を通過したシートの搬送を補助する突出部を有する第１ガイド部材と、第２ガイド部材とを有し、前記第１ガイド部材の突出部と第２ガイド部材により、前記シートに予備ループを形成した後、前記シート先端部を第２の搬送手段に突き当てて、前記シートにループを形成させて、該シートの曲がりと、先端位置の補正を行うので、シート搬送中にループを形成させるシート搬送装置において、シート搬送中に発生する衝撃音を低減させることが可能になった。
【００４３】
請求項２に記載の発明によれば、第１の搬送手段を通過したシートの搬送を補助する突出部を有する第１ガイド部材と、第２ガイド部材と、第１ガイド部材の突出部を搬送方向線に対し前記第２ガイド部材と反対側に退避可能にする突出部退避手段とを有し、突出部が退避していないときは、第１ガイド部材の突出部と第２ガイド部材により、シートに予備ループを形成した後、シート先端部を第２の搬送手段に突き当てて、シートにループを形成させて、該シートの曲がりと、先端位置の補正を行い、一方、突出部が退避しているときは、予備ループを形成させないので、通常は、シートが第２の搬送手段（レジストローラ）に当接することによって生じるシートの衝撃音を軽減させ、特に、シートの搬送性を優先させたい場合に、突出部を退避できるようになった。また、複数の搬送路が有り例えば一部に、突出部がシート搬送の障害の恐れとなる場合に、突出部を退避できるようになった。
【００４４】
請求項３に記載の発明によれば、シートを搬送する第１搬送路とシートを第２搬送路とを形成し、第１搬送路を使用する場合には突出部を退避させないで使用し、第２搬送路を使用する場合には突出部を退避させて使用するので、２つの搬送路で、一方にシートの衝撃音を軽減し、他方はシートの搬送性を確実に行えるようになった。
【００４５】
請求項４に記載の発明によれば、第１搬送路は少なくともシートを通常に給紙する給紙段のための搬送路であり、第２搬送路はシートの手差しのための搬送路であるので、前記給紙段と手差し給紙部とがある画像形成装置でこのシート搬送装置が適用できるようになった。
【００４６】
請求項５に記載の発明によれば、搬送方向線に対して突出した前記突出部は、シート搬送方向と直交する方向より見て凸形状部を有するので、前記凸形状部でシートの曲げを円滑に行うことができ、且つ第２の搬送手段によるシート搬送時にシートが第１ガイド部材より受ける摺動抵抗を少なくできるようになった。
【００４７】
請求項６に記載の発明によれば、第１ガイド部材にシート搬送方向と直交する方向に隣接して複数の前記突出部を設けるので、突出部での摩擦抵抗を少なくシートの曲げ、搬送を円滑に行うことができるようになった。
【００４８】
請求項７に記載の発明によれば、画像形成装置において本発明のシート搬送装置を、画像形成部に送り込むシートの搬送路に用いたので、シートが第２の搬送手段に突き当たることによって生じる衝撃音を軽減させることができるようになった。
【図面の簡単な説明】
【図１】シート搬送装置を適用した画像形成装置の構成断面図である。
【図２】実施の形態１のシート搬送装置の構成を示す断面図である。
【図３】実施の形態１の第１ガイド部材を示す斜視図、さらに図４はシート搬送装置におけるシートの搬送軌跡を示す図である。
【図４】シート搬送装置におけるシートの搬送軌跡を示す図である。
【図５】実施の形態２のシート搬送装置の第１搬送路（通常）の構成を示す断面図である。
【図６】実施の形態２のシート搬送装置の第２搬送路（手差し）の構成を示す断面図である。
【図７】従来の一例のシート搬送装置の構成を示す断面図である。
【符号の説明】
７１  第１の搬送手段
７２、７３  第１ガイド部材
７２ａ、８４ａ  突出部
７２ｂ、７３ｂ  ガイド部
７２１ａ、８４１ａ  凸形状部
７４、７５  第２ガイド部材
７６  第２の搬送手段
８０  突出部退避手段
【図１】
2005035688.tif 000003
【図２】
2005035688.tif 000004
【図３】
2005035688.tif 000005
【図４】
2005035688.tif 000006
【図５】
2005035688.tif 000007
【図６】
2005035688.tif 000008
【図７】
2005035688.tif 000009